(57)【要約】【課題】投影レンズとその光軸調整を行なう調整機構を備えつつも、照明装置の厚み寸法を小さくする。【解決手段】投影レンズ部５は、光源から出射された光の少なくとも一部を通過させる。支持部材６は、投影レンズ部５を支持する。左軸部５４は、投影レンズ部５に設けられ、投影レンズ５１の光軸Ａ２と交差する向きに延びる軸線Ａ１を有している。左軸保持部６２は、支持部材６に設けられ、投影レンズ部５の軸線Ａ１を中心とする回動を許容するように左軸部５４を保持する。ねじ部材８は、光軸Ａ２と異なる向きに延びる回転軸Ａ３を中心に回転可能である。変換機構９は、ねじ部材８が回転軸Ａ３を中心に回転する動きを、左軸部５４が軸線Ａ１を中心に回動する動きに変換する。ねじ部材８と変換機構９は、光軸Ａ２と交差する方向において左軸部５４および軸保持部６２よりも光軸Ａ２から離れた位置に配置されている。【選択図】図３
2017004768.tif 000002
【特許請求の範囲】
【請求項１】
車両に搭載される照明装置であって、
光源と、
前記光源から出射された光の少なくとも一部を通過させる投影レンズを有する投影レンズ部と、
前記投影レンズ部を支持している支持部材と、
前記投影レンズ部と前記支持部材の一方に設けられ、前記投影レンズの光軸と交差する向きに延びる回動軸を有している軸部と、
前記投影レンズ部と前記支持部材の他方に設けられ、前記投影レンズ部の前記回動軸を中心とする回動を許容するように前記軸部を保持している軸保持部と、
前記光軸と異なる向きに延びる回転軸を中心に回転可能とされているねじ部材と、
前記ねじ部材が前記回転軸を中心に回転する動きを、前記軸部が前記回動軸を中心に回動する動きに変換する変換機構と、
を備えており、
前記ねじ部材と前記変換機構は、前記光軸と交差する方向において前記軸部および前記軸保持部よりも前記光軸から離れた位置に配置されている、
照明装置。
【請求項２】
前記変換機構は、
前記ねじ部材と螺合して前記ねじ部材が前記回転軸を中心に回転する動きを直線運動に変換する伝達部材と、
前記伝達部材と前記投影レンズ部の一方に設けられたカム面と、
前記伝達部材と前記投影レンズ部の他方に設けられ、前記カム面上を摺動することにより前記直線運動を前記軸部が前記回動軸を中心に回動する動きに変換するカムフォロアと、
を備えている、
請求項１に記載の照明装置。
【請求項３】
前記光源の動作を制御する制御部を備えており、
前記変換機構は、前記光軸と交差する方向における前記軸部と前記制御部の間に配置されている、
請求項１または２に記載の照明装置。
【請求項４】
前記光源、前記投影レンズ部、前記支持部材、前記軸部、前記軸保持部、前記変換機構、および前記ねじ部材の一部を収容する灯室の一部を区画し、前記投影レンズを通過した光を通過させる透光部を有するハウジングと、
前記ハウジングにおける前記透光部が設けられた側に配置され、前記制御部に電力を供給するためのコネクタと、
を備えている、
請求項３に記載の照明装置。
【請求項５】
前記光源、前記投影レンズ部、前記支持部材、前記軸部、前記軸保持部、前記変換機構、および前記ねじ部材の一部を収容する灯室の一部を区画し、前記投影レンズを通過した光を通過させる透光部を有しているハウジングを備えており、
前記ハウジングは、前記透光部が設けられた側において外方に突出している突出部を有しており、
前記ねじ部材は、前記回転軸が前記突出部を通るように、前記ハウジングに保持されている、
請求項１から４のいずれか一項に記載の照明装置。
【請求項６】
前記光源、前記投影レンズ部、前記支持部材、前記軸部、前記軸保持部、前記変換機構、および前記ねじ部材の一部を収容する灯室の一部を区画し、前記投影レンズを通過した光を通過させる透光部を有しているハウジングと、
前記ハウジングにおいて前記透光部が設けられた側に配置され、前記灯室と連通している通気部と、
を備えている、
請求項１から５のいずれか一項に記載の照明装置。
【発明の詳細な説明】
【技術分野】
【０００１】
本発明は、車両に搭載される照明装置に関する。
【背景技術】
【０００２】
この種の照明装置の一例として、ハウジングと透光カバーにより区画された灯室内に、光源と投影レンズが収容されたフォグランプが知られている。光源から出射された光は、投影レンズを通過することにより所定の配光制御を受け、車両前方に所定の配光パターンを形成する（例えば、特許文献１を参照）。
【先行技術文献】
【特許文献】
【０００３】
【特許文献１】国際公開２０１４／０１２８７８Ａ１号明細書
【発明の概要】
【発明が解決しようとする課題】
【０００４】
灯室内に投影レンズを備える構成の場合、製品組立時における誤差や車両への組付け精度のばらつきに起因して、投影レンズの光軸の基準位置に所定の仕様からの誤差が生ずることがある。このような場合、所望の配光パターンが得られないことがあるため、誤差を解消するための調整機構を設けたいというニーズがある。他方、このような照明装置に対し、投影レンズの光軸に沿う方向の寸法（いわゆる厚み寸法）を小さくしたいという要請が強まっている。
【０００５】
本発明は、投影レンズとその光軸調整を行なう調整機構を備えつつも、照明装置の厚み寸法を小さくする（薄型化する）ことを目的とする。
【課題を解決するための手段】
【０００６】
上記の目的を達成するために、本発明がとりうる一態様は、車両に搭載される照明装置であって、
光源と、
前記光源から出射された光の少なくとも一部を通過させる投影レンズを有する投影レンズ部と、
前記投影レンズ部を支持している支持部材と、
前記投影レンズ部と前記支持部材の一方に設けられ、前記投影レンズの光軸と交差する向きに延びる回動軸を有している軸部と、
前記投影レンズ部と前記支持部材の他方に設けられ、前記投影レンズ部の前記回動軸を中心とする回動を許容するように前記軸部を保持している軸保持部と、
前記光軸と異なる向きに延びる回転軸を中心に回転可能とされているねじ部材と、
前記ねじ部材が前記回転軸を中心に回転する動きを、前記軸部が前記回動軸を中心に回動する動きに変換する変換機構と、
を備えており、
前記ねじ部材と前記変換機構は、前記光軸と交差する方向において前記軸部および前記軸保持部よりも前記光軸から離れた位置に配置されている。
【０００７】
ねじ部材の回転軸が、投影レンズの光軸とは異なる向きに延びているため、ねじ部材の回転軸が投影レンズの光軸に沿って延びている従来の一般的な構成と比較して、投影レンズの光軸に沿う方向における照明装置の寸法が大幅に縮小されうる。
【０００８】
また、ねじ部材と変換機構は、投影レンズの光軸と交差する向きにおいて、軸部と軸保持部よりも当該光軸から離れた位置に配置されている。光軸が延びる方向において、ねじ部材と変換機構が投影レンズ部の回動を可能にしている構成要素とオーバーラップしないようにすることによって、光軸が延びる方向における照明装置の寸法がさらに縮小されうる。
【０００９】
上記の照明装置は、以下のように構成されうる。
前記変換機構は、
前記ねじ部材と螺合して前記ねじ部材が前記回転軸を中心に回転する動きを直線運動に変換する伝達部材と、
前記伝達部材と前記投影レンズ部の一方に設けられたカム面と、
前記伝達部材と前記投影レンズ部の他方に設けられ、前記カム面上を摺動することにより前記直線運動を前記軸部が前記回動軸を中心に回動する動きに変換するカムフォロアと、
を備えている。
【００１０】
このような構成によれば、カム機構の作用点を、光軸に沿う向きについて投影レンズ部の回動中心に近づけやすい。そのため、動きの変換を効率的に行なえるのみならず、光軸に沿う向きにおける照明装置の大型化を抑制できる。また、カム機構の構成次第で、ねじ部材の回転軸の延びる方向の選択自由度が高まる。これにより、投影レンズの光軸が延びる方向における照明装置の寸法を小さくするための設計自由度が高まる。
【００１１】
上記の照明装置は、以下のように構成されうる。
前記光源の動作を制御する制御部を備えており、
前記変換機構は、前記光軸と交差する方向における前記軸部と前記制御部の間に配置されている。
【００１２】
このような構成によれば、投影レンズの光軸が延びる方向の寸法を抑制しつつ、相対的にレイアウト自由度が高くなる光軸と交差する方向のスペースを有効活用できる。
【００１３】
上記の照明装置は、以下のように構成されうる。
前記光源、前記投影レンズ部、前記支持部材、前記軸部、前記軸保持部、前記変換機構、および前記ねじ部材の一部を収容する灯室の一部を区画し、前記投影レンズを通過した光を通過させる透光部を有するハウジングと、
前記ハウジングにおける前記透光部が設けられた側に配置され、前記制御部に電力を供給するためのコネクタと、
を備えている。
【００１４】
透光部を通過した光の通路を確保するために、照明装置の周囲における透光部が設けられた側には、ある程度の広さの空間が必要である。上記の構成によれば、制御部に給電するためのコネクタがこのような空間に配置される。したがって、照明装置の周辺空間の利用効率を高めることができる。
【００１５】
上記の照明装置は、以下のように構成されうる。
前記光源、前記投影レンズ部、前記支持部材、前記軸部、前記軸保持部、前記変換機構、および前記ねじ部材の一部を収容する灯室の一部を区画し、前記投影レンズを通過した光を通過させる透光部を有しているハウジングを備えており、
前記ハウジングは、前記透光部が設けられた側において外方に突出している突出部を有しており、
前記ねじ部材は、前記回転軸が前記突出部を通るように、前記ハウジングに保持されている。
【００１６】
透光部を通過した光の通路を確保するために、照明装置の周囲における透光部が設けられた側には、ある程度の広さの空間が必要である。上記の構成によれば、投影レンズの光軸の基準位置を調節するためのねじ部材がこのような空間に配置される。したがって、照明装置の周辺空間の利用効率を高めることができる。
【００１７】
上記の照明装置は、以下のように構成されうる。
前記光源、前記投影レンズ部、前記支持部材、前記軸部、前記軸保持部、前記変換機構、および前記ねじ部材の一部を収容する灯室の一部を区画し、前記投影レンズを通過した光を通過させる透光部を有しているハウジングと、
前記ハウジングにおいて前記透光部が設けられた側に配置され、前記灯室と連通している通気部と、
を備えている。
【００１８】
透光部を通過した光の通路を確保するために、照明装置の周囲における透光部が設けられた側には、ある程度の広さの空間が必要である。上記の構成によれば、灯室と連通する通気部がこのような空間に配置される。したがって、照明装置の周辺空間の利用効率を高めることができる。
【図面の簡単な説明】
【００１９】
【図１】一実施形態に係るフォグランプの外観を示す斜視図である。
【図２】図１のフォグランプの外観を示す斜視図である。
【図３】図１のフォグランプの一部を示す斜視図である。
【図４】図１のフォグランプの一部を示す斜視図である。
【図５】図１のフォグランプの一部を示す斜視図である。
【図６】図１のフォグランプの一部を示す斜視図である。
【図７】図１のフォグランプが備える投影レンズ部を示す斜視図である。
【図８】図１のフォグランプが備える支持部材を示す斜視図である。
【図９】図１のフォグランプが備える伝達部材を示す斜視図である。
【図１０】図１のフォグランプが備える変換機構の動作を示す斜視図である。
【図１１】図１のフォグランプが備える変換機構の動作を示す左側面図である。
【発明を実施するための形態】
【００２０】
添付の図面を参照しつつ、本発明に係る実施形態の例について以下詳細に説明する。以下の説明に用いる各図面では、各部材を認識可能な大きさとするために縮尺を適宜変更している。以降の説明に用いる「右」および「左」は、運転席から見た左右の方向を示している。
【００２１】
図１は、一実施形態に係るフォグランプ１（照明装置の一例）を左前上方から見た外観を示す斜視図である。図２は、当該フォグランプ１を左後下方から見た外観を示す斜視図である。
【００２２】
フォグランプ１は、ヒートシンク２とカバーハウジング３を備えている。カバーハウジング３は、ヒートシンク２に装着されて、両者の間に灯室４を区画している。カバーハウジング３は、透光カバー部３１を有している。
【００２３】
図２に示されるように、ヒートシンク２は、背面に複数の放熱板２１を備えている。複数の放熱板２１は、上下方向に延びており、左右方向に配列されている。すなわち、複数の放熱板２１は、灯室４の外側に配置されている。ヒートシンク２は、金属などの熱伝導性の高い材料により形成されている。
【００２４】
図３は、図１に示される状態からカバーハウジング３を取り外したフォグランプ１の一部を左前上方から見た斜視図である。灯室４には、投影レンズ部５が収容されている。投影レンズ部５は、投影レンズ５１とレンズホルダ５２を備えている。
【００２５】
図４は、図３に示される状態から投影レンズ５１を取り外したフォグランプ１の一部を左前上方から見た斜視図である。図５は、図４に示される状態からレンズホルダ５２を取り外したフォグランプ１の一部を左前上方から見た斜視図である。灯室４には、支持部材６が収容されている。
【００２６】
図６は、図５に示される状態から支持部材６を取り外したフォグランプ１の一部を左前上方から見た斜視図である。灯室４には、光源ユニット７が収容されている。光源ユニット７は、支持基板７１、光源７２、および第一コネクタ７３を備えている。支持基板７１は、ヒートシンク２に固定されている。光源７２と第一コネクタ７３は、支持基板７１の前面に配置されている。支持基板７１には回路配線が形成されており、光源７２と第一コネクタ７３を電気的に接続している。
【００２７】
本実施形態においては、光源７２は複数個の半導体発光素子により構成されている。半導体発光素子の例としては、発光ダイオード、レーザダイオード、有機ＥＬ素子などが挙げられる。発光素子の数は仕様に応じて適宜に定められる。また、光源７２としてランプ光源（放電灯やハロゲンバルブなど）を用いてもよい。
【００２８】
光源ユニット７は、制御部７４と第二コネクタ７５をさらに備えている。制御部７４は、光源７２の点消灯等を制御する光源制御回路を備えている。第二コネクタ７５は、当該回路と電気的に接続されている。制御部７４は、ヒートシンク２に固定されている。
【００２９】
図５に示されるように、支持部材６は、光源ユニット７の支持基板７１の前面に固定されている。図４に示されるように、支持部材６は、レンズホルダ５２を支持している。図３に示されるように、レンズホルダ５２は、投影レンズ５１を支持している。支持部材６は、投影レンズ部５を支持しているとも言える。
【００３０】
図４に示されるように、レンズホルダ５２は、一対のリフレクタ５２ａを備えている。一対のリフレクタ５２ａは、光源ユニット７の光源７２から出射された光を投影レンズ５１へ向けて反射する形状および配置とされている。各リフレクタ５２ａにより反射された光の少なくとも一部は、投影レンズ５１を通過する。投影レンズ５１を通過した光は、カバーハウジング３の透光カバー部３１を通過して、フォグランプ１の前方を照明する。
【００３１】
次に図７と図８を参照しつつ、投影レンズ部５が支持部材６に支持される構造について説明する。図７は、投影レンズ部５を左後下方から見た外観を示す斜視図である。図８は、支持部材６を右前下方から見た外観を示す斜視図である。
【００３２】
図７に示されるように、投影レンズ５１は、レンズホルダ５２の前部に固定される。すなわち、投影レンズ５１とレンズホルダ５２の相対位置は変化しない。投影レンズ部５は、右軸部５３と左軸部５４を備えている。右軸部５３は、レンズホルダ５２の右側部に配置されている。右軸部５３は、半球形状を呈するように形成されており、球面が右方を向いている。左軸部５４は、レンズホルダ５２の左側部に配置されている。左軸部５４は、半球形状を呈するように形成されており、球面が左方を向いている。右軸部５３と左軸部５４の中心同士を結ぶ軸線Ａ１は、投影レンズ５１の光軸Ａ２と直交する向きに延びている。すなわち、右軸部５３と左軸部５４は、投影レンズ５１の光軸Ａ２と交差する向きに延びている。
【００３３】
図８に示されるように、支持部材６は、右軸保持部６１と左軸保持部６２を備えている。右軸保持部６１と左軸保持部６２は、支持部材６の前面に設けられている。
【００３４】
右軸保持部６１は、周壁６１ａ、一対の突起６１ｂ、および湾曲受け面６１ｃを備えている。周壁６１ａは、支持部材６の前面より前方に突出し、半円弧状に延びている。当該半円弧は、左方に開いている。一対の突起６１ｂの各々は、周壁６１ａの前端部より半円弧の内側へ向かってオーバーハングするように延びている。一対の突起６１ｂの各々は後方へ幾らかの撓み変形が可能とされている。湾曲受け面６１ｃは、周壁６１ａが描く半円弧の内側に配置され、一対の突起６１ｂと対向している。湾曲受け面６１ｃは、右軸部５３の半球面に沿う形状を有している。
【００３５】
左軸保持部６２は、周壁６２ａ、一対の突起６２ｂ、および湾曲受け面６２ｃを備えている。周壁６１ａは、支持部材６の前面より前方に突出し、半円弧状に延びている。当該半円弧は、右方に開いている。一対の突起６２ｂの各々は、周壁６２ａの前端部より半円弧の内側へ向かってオーバーハングするように延びている。一対の突起６２ｂの各々は後方へ幾らかの撓み変形が可能とされている。湾曲受け面６２ｃは、周壁６２ａが描く半円弧の内側に配置され、一対の突起６２ｂと対向している。湾曲受け面６２ｃは、左軸部５４の半球面に沿う形状を有している。
【００３６】
上記のような構成を有するレンズホルダ５２と支持部材６は、図４に示されるように結合される。このとき、右軸部５３と左軸部５４は、それぞれ支持部材６の右軸保持部６１と左軸保持部６２に保持される。
【００３７】
具体的には、右軸部５３が右軸保持部６１に押し付けられることにより、右軸部５３が一対の突起６１ｂを後方に変形させつつ、周壁６１ａに囲まれた領域に進入する。右軸部５３の半球面の一部が湾曲受け面６１ｃに接すると、一対の突起６１ｂは元の位置に復帰し、右軸部５３が前方へ抜けることを防止する。これにより、右軸部５３は、周壁６１ａに囲まれた領域内で、図７に示される軸線Ａ１に直交する面内で回動可能とされる。
【００３８】
同様に、左軸部５４が左軸保持部６２に押し付けられることにより、左軸部５４が一対の突起６２ｂを後方に変形させつつ、周壁６２ａに囲まれた領域に進入する。左軸部５４の半球面の一部が湾曲受け面６２ｃに接すると、一対の突起６２ｂは元の位置に復帰し、左軸部５４が前方へ抜けることを防止する。これにより、左軸部５４は、周壁６２ａに囲まれた領域内で、図７に示される軸線Ａ１に直交する面内で回動可能とされる。
【００３９】
すなわち、右軸保持部６１と左軸保持部６２は、回動軸としての軸線Ａ１を中心とする投影レンズ部５の回動を許容するように、右軸部５３と左軸部５４をそれぞれ保持する。
【００４０】
図１と図２に示されるように、フォグランプ１は、ねじ部材８を備えている。図３に示されるように、ねじ部材８は、ヘッド部８１と軸部８２を備えている。ねじ部材８は、軸部８２に沿って延びる回転軸Ａ３を中心として回転可能とされている。回転軸Ａ３は、投影レンズ５１の光軸Ａ２と異なる向きに延びている。ヘッド部８１は、カバーハウジング３の外側（灯室４の外側）に配置されている。ヘッド部８１は、所定の工具により回転操作可能とされている。軸部８２は、カバーハウジング３を貫通して灯室４内に延びている。軸部８２の外周面にはねじ溝が形成されている。
【００４１】
図３に示されるように、灯室４には、変換機構９が収容されている。変換機構９は、ねじ部材８が回転軸Ａ３を中心として回転する動きを、投影レンズ部５の右軸部５３と左軸部５４が軸線Ａ１（回動軸）を中心として回動する動きに変換するように構成されている。具体的には、変換機構９は、伝達部材９１とカムフォロア９２を含んでいる。
【００４２】
図９の（Ａ）は、伝達部材９１を右前下方から見た外観を示す斜視図である。図９の（Ｂ）は、伝達部材９１を左後下方から見た外観を示す斜視図である。伝達部材９１は、ねじ受け溝９１ａ、第一ガイド溝９１ｂ、第二ガイド溝９１ｃ、およびカム面９１ｄを備えている。
【００４３】
ねじ受け溝９１ａは、前方に開口しており、上下方向に直線的に延びている。ねじ受け溝９１ａの内壁には、ねじ溝が形成されている。ねじ受け溝９１ａは、当該ねじ溝を介して、ねじ部材８の軸部８２と螺合可能とされている。
【００４４】
第一ガイド溝９１ｂは、ねじ受け溝９１ａの後方に形成されている。第一ガイド溝９１ｂは、後方に開口しており、上下方向に直線的に延びている。
【００４５】
第二ガイド溝９１ｃは、第一ガイド溝９１ｂの右方に形成されている。第二ガイド溝９１ｃは、後方に開口しており、上下方向に直線的に延びている。第一ガイド溝９１ｂと第二ガイド溝９１ｃは、平行に延びている。
【００４６】
カム面９１ｄは、ねじ受け溝９１ａの右方かつ第二ガイド溝９１ｃの前方に形成されている。カム面９１ｄは、上傾斜部９１ｄ１、中間部９１ｄ２、および下傾斜部９１ｄ３を有している。中間部９１ｄ２は、上下方向に直線的に延びている。中間部９１ｄ２は、第二ガイド溝９１ｃと平行に延びている。上傾斜部９１ｄ１は、中間部９１ｄ２の上方に位置している。下傾斜部９１ｄ３は、中間部９１ｄ２の下方に位置している。上傾斜部９１ｄ１は、上端が下端よりも前方に位置する傾斜面を形成している。下傾斜部９１ｄ３は、下端が上端よりも前方に位置する傾斜面を形成している。
【００４７】
図７に示されるように、投影レンズ部５は、腕部５５を備えている。腕部５５は、レンズホルダ５２の左側部から左方へ延びている。カムフォロア９２は、腕部５５の左端部に設けられている。すなわち、カムフォロア９２は、左軸部５４よりも左方に設けられている。カムフォロア９２は、上突起９２ａと下突起９２ｂを有している。上突起９２ａと下突起９２ｂは、腕部５５の背面から後方へ突出している。
【００４８】
図５に示されるように、ヒートシンク２は、第一ガイドレール２２と第二ガイドレール２３を備えている。第一ガイドレール２２と第二ガイドレール２３は、ヒートシンク２の前面において上下方向に直線的に延びている。第一ガイドレール２２と第二ガイドレール２３は、平行に延びている。
【００４９】
ねじ部材８の軸部８２がねじ受け溝９１ａに螺合された状態で、伝達部材９１がヒートシンク２に装着される。このとき、第一ガイドレール２２が第一ガイド溝９１ｂと嵌合し、第二ガイドレール２３が第二ガイド溝９１ｃと嵌合する。伝達部材９１は、第一ガイドレール２２と第二ガイドレール２３に沿って上下方向に摺動可能とされる。
【００５０】
この状態から、図１０の（Ａ）に示されるように投影レンズ部５が支持部材６に装着されると、図１１の（Ａ）に示されるように、カムフォロア９２の上突起９２ａと下突起９２ｂが、伝達部材９１のカム面９１ｄにおける上傾斜部９１ｄ１と下傾斜部９１ｄ３にそれぞれ当接する。同図においては、ねじ部材８の図示が省略されている。図１０の（Ａ）と図１１の（Ａ）は、変換機構９の初期状態を示している。右軸部５３と左軸部５４が右軸保持部６１と左軸保持部６２にそれぞれ保持されることにより、伝達部材９１は、腕部５５を介してヒートシンク２からの脱落が防止される。
【００５１】
下方から見て反時計回りにねじ部材８が回転されると、軸部８２とねじ受け溝９１ａの螺合状態が変化し、伝達部材９１は、第一ガイドレール２２と第二ガイドレール２３に沿って上方に摺動する。図１０の（Ｂ）は、この状態を示している。このとき、図１１の（Ｂ）に示されるように、カムフォロア９２の上突起９２ａは、カム面９１ｄにおける上傾斜部９１ｄ１の下端に近づき、カムフォロア９２の下突起９２ｂは、カム面９１ｄにおける下傾斜部９１ｄ３の下端に近づく。これにより、レンズホルダ５２は、左方から見て時計回りに軸線Ａ１を中心として回動し、投影レンズ５１の光軸Ａ２が上方に傾く。
【００５２】
下方から見て時計回りにねじ部材８が回転されると、軸部８２とねじ受け溝９１ａの螺合状態が変化し、伝達部材９１は、第一ガイドレール２２と第二ガイドレール２３に沿って下方に摺動する。図１０の（Ｃ）は、この状態を示している。このとき、図１１の（Ｃ）に示されるように、カムフォロア９２の上突起９２ａは、カム面９１ｄにおける上傾斜部９１ｄ１の上端に近づき、カムフォロア９２の下突起９２ｂは、カム面９１ｄにおける下傾斜部９１ｄ３の上端に近づく。これにより、レンズホルダ５２は、左方から見て反時計回りに軸線Ａ１を中心として回動し、投影レンズ５１の光軸Ａ２が下方に傾く。
【００５３】
すなわち、伝達部材９１は、ねじ部材８と螺合し、ねじ部材８が回転軸Ａ３を中心として回転する動きを、第一ガイドレール２２と第二ガイドレール２３に沿う直線運動に変換している。また、カムフォロア９２は、伝達部材９１のカム面９１ｄ上を摺動することにより、伝達部材９１の直線運動を、右軸部５３および左軸部５４が軸線Ａ１を中心として回動する動きに変換している。これにより、ねじ部材８の回転操作を通じて、投影レンズ５１の光軸Ａ２の上下方向に係る基準位置が調節されうる。
【００５４】
投影レンズの光軸の基準位置を調節する機構を有する照明装置の大型化を抑制しつつ、特に薄型化を追求しようとする場合、光軸に沿う向き（いわゆる前後方向）のレイアウト自由度に対し、当該光軸に交差する向き（いわゆる上下方向および左右方向）のレイアウト自由度が相対的に高くなる。本実施形態に係るフォグランプ１においては、このような空間を積極的に活用可能な構成要素の配置を採用している。
【００５５】
具体的には、図３に示されるように、ねじ部材８の回転軸Ａ３が、投影レンズ５１の光軸Ａ２とは異なる向きに延びるように構成されている。これにより、ねじ部材の回転軸が投影レンズの光軸に沿って延びている従来の一般的な構成と比較して、投影レンズの光軸に沿う方向におけるフォグランプ１の寸法が大幅に縮小されうる。
【００５６】
また、ねじ部材８（より厳密には、ねじ部材８の回転軸Ａ３）と変換機構９（より厳密には、カム面９１ｄとカムフォロア９２）は、投影レンズ５１の光軸Ａ２と交差する向きにおいて、左軸部５４と左軸保持部６２よりも当該光軸Ａ２から離れた位置に配置されている。光軸Ａ２が延びる方向において、ねじ部材８と変換機構９が投影レンズ部５の回動を可能にしている構成要素とオーバーラップしないようにすることによって、光軸Ａ２が延びる方向におけるフォグランプ１の寸法がさらに縮小されうる。
【００５７】
さらに、ねじ部材８が回転軸Ａ３を中心として回転する動きを、投影レンズ部５の右軸部５３と左軸部５４が軸線Ａ１（回動軸）を中心として回動する動きに変換する変換機構９は、伝達部材９１とカムフォロア９２からなるカム機構により構成されている。伝達部材９１は、ねじ部材８の回転軸Ａ３を中心とする回転運動を直線運動に変換する。伝達部材９１はカム面９１ｄを有しており、カムフォロア９２は、当該カム面９１ｄを摺動することにより、伝達部材９１の直線運動を投影レンズ部５の回動運動に変換する。
【００５８】
このような構成によれば、カム機構の作用点を、光軸Ａ２に沿う向きにおいて投影レンズ部５の回動中心（すなわち回動軸Ａ１）に近づけやすい。そのため、動きの変換を効率的に行なえるのみならず、光軸Ａ２に沿う向きにおけるフォグランプ１の大型化を抑制できる。また、カム機構の構成次第で、ねじ部材８の回転軸Ａ３の延びる方向の選択自由度が高まる。これにより、投影レンズ５１の光軸Ａ２が延びる方向におけるフォグランプ１の寸法を小さくするための設計自由度が高まる。
【００５９】
図３に示されるように、光源７２の動作を制御する制御部７４は、ねじ部材８と変換機構９を挟んで左軸部５４および左軸保持部６２と反対側に配置されている。すなわち、ねじ部材８と変換機構９は、投影レンズ５１の光軸Ａ２と交差する方向において左軸部５４および左軸保持部６２と、制御部７４との間に配置されている。
【００６０】
このような構成によれば、投影レンズ５１の光軸Ａ２が延びる方向の寸法を抑制しつつ、相対的にレイアウト自由度が高くなる光軸Ａ２と交差する方向のスペースを有効活用できる。
【００６１】
図１に示されるように、カバーハウジング３は、投影レンズ５１を通過した光を通過させる透光カバー部３１を有している。また、カバーハウジング３は、制御部７４に電力を供給するためのコネクタ３２を備えている。コネクタ３２は、カバーハウジング３の前面において、透光カバー部３１を通じて光が出射される方向へ突出している。
【００６２】
図３に示されるように、制御部７４は、給電端子７４ａを備えている。カバーハウジング３がヒートシンク２に装着されることにより、給電端子７４ａは、コネクタ３２内に配置される。不図示の外部電源に接続された相手側コネクタがコネクタ３２に接続されることにより、外部電源より供給される電力は、給電端子７４ａを通じて制御部７４の光源駆動回路に提供される。
【００６３】
透光カバー部３１より出射された光の通路を確保するために、カバーハウジング３の前面側には、ある程度の広さの空間が必要である。上記の構成によれば、制御部７４に給電するためのコネクタ３２がこのような空間に配置される。したがって、フォグランプ１の周辺空間の利用効率を高めることができる。
【００６４】
図１に示されるように、カバーハウジング３は、外方に突出している突出部３３を有している。突出部３３は、透光カバー部３１の左方かつコネクタ３２の右方に形成されている。突出部３３は、カバーハウジング３の前面から前方に突出している。ねじ部材８は、回転軸Ａ３が突出部３３を通るように、カバーハウジング３に保持されている。
【００６５】
透光カバー部３１より出射された光の通路を確保するために、カバーハウジング３の前面側には、ある程度の広さの空間が必要である。上記の構成によれば、投影レンズ５１の光軸Ａ２の基準位置を調節するためのねじ部材８がこのような空間に配置される。したがって、フォグランプ１の周辺空間の利用効率を高めることができる。
【００６６】
図１に示されるように、カバーハウジング３は、通気部３４を備えている。通気部３４は、突出部３３の上方に設けられている。通気部３４は、カバーハウジング３の前面から前方に突出している。通気部３４は、カバーハウジング３を貫通して灯室４と連通している。通気部３４には、不図示のフィルタおよびキャップが装着される。
【００６７】
透光カバー部３１より出射された光の通路を確保するために、カバーハウジング３の前面側には、ある程度の広さの空間が必要である。上記の構成によれば、灯室４と連通する通気部３４がこのような空間に配置される。したがって、フォグランプ１の周辺空間の利用効率を高めることができる。
【００６８】
上記の実施形態は、本発明の理解を容易にするための例示にすぎない。上記の実施形態に係る構成は、本発明の趣旨を逸脱しなければ、適宜に変更・改良されうる。また、等価物が本発明の技術的範囲に含まれることは明らかである。
【００６９】
上記の実施形態においては、右軸部５３と左軸部５４は、レンズホルダ５２に設けられている。しかしながら、右軸部５３と左軸部５４は、投影レンズ５１に設けられうる。
【００７０】
上記の実施形態においては、投影レンズ５１とレンズホルダ５２は別部材とされている。しかしながら、投影レンズ５１とレンズホルダ５２は、透光性の材料により一体成型されうる。
【００７１】
上記の実施形態においては、右軸部５３と左軸部５４は投影レンズ部５に設けられ、右軸保持部６１と左軸保持部６２は支持部材６に設けられている。この構成とは逆に、支持部材６に右軸部と左軸部を設け、投影レンズ部５に右軸保持部と左軸保持部を設けてもよい。
【００７２】
上記の実施形態においては、レンズホルダ５２が一対のリフレクタ５２ａを備えている。しかしながら、リフレクタ５２ａの数、形状、および配置は、フォグランプ１の仕様に応じて適宜に定められうる。また、支持部材６がリフレクタを備える構成としてもよい。
【００７３】
上記の実施形態においては、光源７２の光出射面が投影レンズ５１に対向する配置とされている。このような構成によれば、光源７２と投影レンズ５１との距離を短くでき、フォグランプ１の薄型化に寄与する。しかしながら、光学系のレイアウト自由度の観点から、光源７２の光出射面の向きは、仕様に応じて適宜に定められうる。
【００７４】
上記の実施形態においては、ねじ部材８の回転軸Ａ３は、上下方向に延びている。しかしながら、投影レンズ５１の光軸Ａ２と異なる向きに延びていれば、回転軸Ａ３の方向は、フォグランプ１の仕様に応じて適宜に定められうる。
【００７５】
上記の実施形態においては、カム面９１ｄが伝達部材９１に設けられており、カムフォロア９２が投影レンズ部５に設けられている。この構成とは逆に、投影レンズ部５がカム面を備え、伝達部材９１がカムフォロアを備える構成としてもよい。
【００７６】
上記の実施形態においては、投影レンズ部５と支持部材６は、ねじ部材８と変換機構９の右方に配置されている。この構成とは逆に、ねじ部材８と変換機構９の左方に投影レンズ部５と支持部材６が配置される構成とされうる。この場合、投影レンズ５１の光軸Ａ２と交差する向きにおいて、ねじ部材８と変換機構９は、右軸部５３と右軸保持部６１よりも光軸Ａ２から離れた位置に配置される。
【００７７】
透光カバー部３１と同じ側に設けられていれば、コネクタ３２、突出部３３、および通気部３４の位置関係は、フォグランプ１の仕様に応じて適宜に定められうる。
【００７８】
上記の実施形態においては、照明装置の一例としてフォグランプ１を例示した。しかしながら、本発明は、ハウジングと透光カバーにより区画される灯室内に投影レンズを備え、当該投影レンズの光軸調整を必要とする各種の照明装置に適用可能である。
【符号の説明】
【００７９】
１：フォグランプ、３：カバーハウジング、３１：透光カバー部、３２：コネクタ、３３：突出部、３４：通気部、４：灯室、５：投影レンズ部、５１：投影レンズ、５３：右軸部、５４：左軸部、６：支持部材、６１：右軸保持部、６２：左軸保持部、７２：光源、７４：制御部、８：ねじ部材、９：変換機構、９１：伝達部材、９１ｄ：カム面、９２：カムフォロア、Ａ１：軸線、Ａ２：光軸、Ａ３：回転軸
【図１】
2017004768.tif 000003
【図２】
2017004768.tif 000004
【図３】
2017004768.tif 000005
【図４】
2017004768.tif 000006
【図５】
2017004768.tif 000007
【図６】
2017004768.tif 000008
【図７】
2017004768.tif 000009
【図８】
2017004768.tif 000010
【図９】
2017004768.tif 000011
【図１０】
2017004768.tif 000012
【図１１】
2017004768.tif 000013